(57)【特許請求の範囲】
【請求項１】
同一のコンテンツを保持する第一及び第二の機器から前記コンテンツを分割して第三の機器へ送信して前記コンテンツをダビングする方法において、
前記第三の機器が前記コンテンツの受信が可能である時は、前記第一及び第二の機器の一方が前記第三の機器へ前記コンテンツを送信し、かつ前記第一及び第二の機器の前記一方が前記コンテンツを送信しない時間帯は、前記第一及び第二の機器の他の一方の機器が前記第三の機器へ前記コンテンツを送信し、
前記第三の機器に前記コンテンツの受信が可能ではない時間が到来した場合には、前記第一及び第二の機器からの前記コンテンツの送信を停止し、
前記第三の機器が再び前記コンテンツの受信が可能となった時は、前記第一及び第二の機器のいずれか一方から前記第三の機器へ前記コンテンツを送信するダビング方法。
【請求項２】
前記第三の機器への前記コンテンツの送信が中断された時の前記コンテンツの分割状態を示す情報を保持し、引き続いて送信される前記コンテンツの送信開始時の状態と前記保持した送信が中断された時の前記コンテンツの分割状態を示す情報との整合性を判定する請求項１記載のダビング方法。
【請求項３】
前記第三の機器への前記コンテンツの送信が中断された時の前記コンテンツを送信する機器と引き続いて送信される前記コンテンツを送信する機器が同一である請求項１または２記載のダビング方法。
【請求項４】
前記第三の機器への前記コンテンツの送信が中断された時の前記コンテンツを送信する機器と引き続いて送信される前記コンテンツを送信する機器が異なる請求項１または２記載のダビング方法。
【請求項５】
前記第三の機器への前記コンテンツの送信が中断された時の前記コンテンツの分割状態を示す情報と引き続いて送信される前記コンテンツの送信開始時の状態と前記保持した送信が中断された時の前記コンテンツの分割状態を示す情報が、前記コンテンツが同一コンテンツであることを示す場合に、前記第三の機器への前記コンテンツの送信が可能である請求項３または４記載のダビング方法。
【請求項６】
同一のコンテンツを保持する第一及び第二の機器が分割して送信する前記コンテンツを第三の機器が受信するダビングする方法において、
前記第三の機器が前記コンテンツの受信が可能である時は、前記第一及び第二の機器の一方から前記コンテンツを受信し、かつ前記第一及び第二の機器の前記一方が前記コンテンツを送信しない時間帯は、前記第一及び第二の機器の他の一方の機器から前記コンテンツを受信し、
前記第三の機器に前記コンテンツの受信が可能ではない時間が到来した場合には、前記第一及び第二の機器からの前記コンテンツの送信を停止し、
前記第三の機器が再び前記コンテンツの受信が可能となった時は、前記第一及び第二の機器のいずれか一方が送信する前記コンテンツを受信するダビング方法。
【請求項７】
前記第三の機器による前記コンテンツの受信が中断された時の前記コンテンツの分割状態を示す情報を保持し、前記第三の機器による前記コンテンツの受信が再開した際に送信される前記コンテンツの送信再開時に前記コンテンツとともに送信される分割状態を示す情報と前記コンテンツの受信が中断された時の前記コンテンツの分割状態を示す情報との整合性を判定する請求項６記載のダビング方法。
【請求項８】
前記第三の機器による前記コンテンツの受信が中断された時に前記コンテンツを送信した機器と前記コンテンツの送信再開時に前記コンテンツを送信する機器が同一である請求項６または７記載のダビング方法。
【請求項９】
前記第三の機器による前記コンテンツの受信が中断された時に前記コンテンツを送信した機器と前記コンテンツの送信再開時に前記コンテンツを送信する機器が異なる請求項６または７記載のダビング方法。
【請求項１０】
前記第三の機器による前記コンテンツの受信が中断された時の前記コンテンツの分割状態を示す情報と前記コンテンツの送信再開時に前記コンテンツに付属する前記コンテンツの分割状態を示す情報が、前記コンテンツが同一コンテンツであることを示す場合に、前記第三の機器による前記コンテンツの受信が可能である請求項８または９記載のダビング方法。
【発明の詳細な説明】
【技術分野】
【０００１】
本発明の実施の形態は、記録装置及びダビング方法に関する。
【背景技術】
【０００２】
記録されているコンテンツ（番組）を複製（ダビング）する際に、記録（書き込み）と複製とを並列処理できる記録装置は、一部の特殊な用途向けを除いて、ほとんど普及していない。
【０００３】
普及型の記録装置においては、複製が指示された場合に、複製中に実行予定がある記録（予約録画）に影響を及ぼすことがないよう、記録が終了した後、複製が開始される。
【先行技術文献】
【特許文献】
【０００４】
【特許文献１】特開２００７−２２１５０８号公報
【発明の概要】
【発明が解決しようとする課題】
【０００５】
指示された複製は、実行予定のある記録が終了するまでの間は実行されないため、複製が終了するまでに必要な時間が増大する。
【０００６】
本発明は、実行予定のある記録の非実行時に、分割して複製を実行する記録装置及びダビング方法を提供するものである。
【課題を解決するための手段】
【０００７】
実施形態によれば、同一のコンテンツを保持する第一及び第二の機器から前記コンテンツを分割して第三の機器へ送信して前記コンテンツをダビングする方法は、前記第三の機器が前記コンテンツの受信が可能である時は、前記第一及び第二の機器の一方が前記第三の機器へ前記コンテンツを送信し、かつ前記第一及び第二の機器の前記一方が前記コンテンツを送信しない時間帯は、前記第一及び第二の機器の他の一方の機器が前記第三の機器へ前記コンテンツを送信し、前記第三の機器に前記コンテンツの受信が可能ではない時間が到来した場合には、前記第一及び第二の機器からの前記コンテンツの送信を停止し、前記第三の機器が再び前記コンテンツの受信が可能となった時は、前記第一及び第二の機器のいずれか一方から前記第三の機器へ前記コンテンツを送信する。
【図面の簡単な説明】
【０００８】
【図１】実施形態を適用する記録装置を２以上接続の一例を示す概略図。
【図２Ａ】実施形態を適用する記録方法の概要を示す概略図。
【図２Ｂ】実施形態を適用する記録方法の概要を示す概略図。
【図２Ｃ】実施形態を適用する記録方法の概要を示す概略図。
【図３】実施形態を適用する記録方法［送信側で制御］の一例を示す概略図。
【図４Ａ】実施形態を適用する記録方法［送信側で制御］の画面表示例を示す概略図。
【図４Ｂ】実施形態を適用する記録方法［送信側で制御］の画面表示例を示す概略図。
【図４Ｃ】実施形態を適用する記録方法［送信側で制御］の画面表示例を示す概略図。
【図４Ｄ】実施形態を適用する記録方法［送信側で制御］の画面表示例を示す概略図。
【図４Ｅ】実施形態を適用する記録方法［送信側で制御］の画面表示例を示す概略図。
【図４Ｆ】実施形態を適用する記録方法［送信側で制御］の画面表示例を示す概略図。
【図５】実施形態を適用する記録方法［送信側で制御］の画面表示例を示す概略図。
【図６】実施形態を適用する記録方法［送信側で制御］の画面表示例を示す概略図。
【図７】実施形態を適用する記録方法［受信側で制御］の一例を示す概略図。
【図８Ａ】実施形態を適用する記録方法［受信側で制御］の画面表示例を示す概略図。
【図８Ｂ】実施形態を適用する記録方法［受信側で制御］の画面表示例を示す概略図。
【図８Ｃ】実施形態を適用する記録方法［受信側で制御］の画面表示例を示す概略図。
【図８Ｄ】実施形態を適用する記録方法［受信側で制御］の画面表示例を示す概略図。
【図８Ｅ】実施形態を適用する記録方法［受信側で制御］の画面表示例を示す概略図。
【図８Ｆ】実施形態を適用する記録方法［受信側で制御］の画面表示例を示す概略図。
【図９】実施形態を適用する記録方法［受信側で制御］の画面表示例を示す概略図。
【図１０】実施形態を適用する記録方法［受信側で制御］の画面表示例を示す概略図。
【図１１】実施形態を適用するレジューム機能［送信側で制御］の一例を示す概略図。
【図１２】実施形態を適用するレジューム機能［受信側で制御］の一例を示す概略図。
【図１３】実施形態を適用するレジューム機能［分割前後比較］の一例を示す概略図。
【図１４】実施形態を適用するレジューム機能［分割前後比較］の一例を示す概略図。
【図１５】実施形態を適用するレジューム機能［映像の構造化］の一例を示す概略図。
【図１６】実施形態を適用するレジューム機能［任意区間検出］の一例を示す概略図。
【図１７】実施形態を適用する記録方法［コピー制御処理］の概要を示す概略図。
【図１８】実施形態を適用する記録方法［コピー制御処理］の概要を示す概略図。
【図１９】実施形態を適用する記録方法［コピー制御処理］の概要を示す概略図。
【図２０】実施形態を適用する記録方法［コピー制御処理］の概要を示す概略図。
【発明を実施するための形態】
【０００９】
以下、実施の形態について図面を参照して説明する。
【００１０】
図１は、実施形態を適用する記録装置を、２以上接続する一例を示す。なお、記録装置は、例えば記録装置を一体に有するテレビジョン受信装置やＰＣ（Personal Computer，パーソナルコンピュータ）であってもよい。また、以下に説明する各要素／構成は、ハードウエアで実現するものであってもよいし、マイクロコンピュータ（処理装置，ＣＰＵ）等を用いてソフトウエアで実現するものであってもよい。
【００１１】
図１に示す２以上の記録装置を含む接続（相互記録システム）は、少なくとも１の記録側記録装置Ａ及び少なくとも１の供給側記録装置Ｂを含む。なお、図１においては供給側記録装置Ｃ（第２の供給側記録装置））を含むものとして説明する。また、各記録装置Ａ，Ｂ，Ｃは、実質的に同一構成であってよく、例えば供給側記録装置ＢまたはＣを記録側記録装置とすること、あるいは記録側記録装置Ａを供給側記録装置とすることも可能である。なお、各記録装置は、記録装置という呼称に支配されるものではなく、記録した情報（コンテンツ／番組／タイトル）の再生が可能である。
【００１２】
なお、少なくとも１つの記録装置は、例えばＮＡＳ（Network Attached Storage）ＨＤＤ（Hard Disk Drive））７等のように、主としてデータを保持する装置であってもよい。あるいは、ＨＤＤに、受信部（チューナ部）やエンコーダ／デコーダ等が用意された端末装置であってもよい。
【００１３】
また、携帯可能な記録装置と、同記録装置へのユーザインタフェース部、例えばタッチパネルやキーボード等、及び通信機能が一体的に設けられる多機能電子機器等であってもよい。
【００１４】
さらに、任意の記録装置は、例えば外部に用意される表示装置（モニタ／ディスプレイ）もしくは一体的に用意される表示部５を伴うことができ、表示装置あるいは表示部を伴う場合、後段に説明するＧＵＩ等は、ユーザが、直接目視（または視聴）可能に、可視的に表示される。
【００１５】
また、任意の記録装置は、例えばテレビジョン放送等を受信してコンテンツを再生するテレビジョン受信装置を収容または保持するラック（収納棚）あるいはスピーカやアンプ装置を一体に有するオーディオ装置と一体的に用意されてもよい。
【００１６】
各記録装置Ａ，Ｂ，Ｃは、例えばＤＬＮＡ（Digital Living Network Alliance）において制定された規則に従って構築されたネットワーク（主として家庭内または小規模事業所における相互接続を想定したＬＡＮ（Local Area Network））１により、相互に接続されている。なお、ＬＡＮ１には、情報（コンテンツ／番組／タイトル）を保持するサーバ（ホームサーバ）３が接続されてもよい。また、各記録装置は、例えばＨＤＭＩ（High-definition Digital Media Interface）ケーブルあるいはＬＡＮケーブル（通信回線）もしくはそれらの併用により、ＬＡＮ１を介さず、サーバ３と直接接続されてもよい。なお、記録装置相互間の情報の受け渡しは、例えば無線方式（ワイヤレス方式のルータを介する情報の送受信）であってもよい。なお、サーバ３が接続されている場合、後段に説明する情報の複製（ダビング）時に参照されるデータベースとしても利用可能である。
【００１７】
個々の記録装置は、例えばＨＤＤ（Hard Disk Drive）やＳＤ（Secure Digital）メモリ等に代表される記録領域（記録部）＊２１（「＊」は装置ごとの識別符号（Ａ，Ｂ，Ｃ）とする）を有し、所定の規格に従って符号化されたデジタル情報（コンテンツ／番組／タイトル）を記録できる。記録（取り扱うことが）可能なデジタル情報の規格等としては、ビデオ（Video，動画）では、例えばＭＰＥＧ（Moving Picture Experts Group）−１，−２，−４（Ｈ．２６４／ＡＶＣ）、オーディオ（Audio，音声／音楽）では、例えばＭＰ３（MPEG Audio layer-3）、ＡＣ３（Audio Code number 3）、リニアＰＣＭ（Pulse Coded Module）、静止画では、例えばＪＰＥＧ（Joint Photographic Experts Group）等である。なお、記録領域＊２１は、後段に説明する情報の複製（ダビング）時に参照されるデータベースとしても利用可能である。また、同情報の複製（ダビング）時に参照されるデータベースを、例えば主制御部１５のファームウエア、あるいは内蔵メモリとして用意することも可能である。
【００１８】
個々の記録装置は、記録装置間で受け渡しされる情報の入出力を受け持つインタフェース部＊１１、記録領域＊２１に情報を書き込み（記録し）、記録領域から情報を読み出す（再生する）記録再生処理部＊１３、記録再生処理部＊１３への情報の書き込み及び記録再生処理部からの情報の再生、ならびに以下に説明する各要素／構成を制御する主制御部＊１５を、少なくとも含む。また、各記録装置は、情報の記録のためのエンコーダ＊１７及び情報の再生のためのデコーダ＊１９等を、少なくとも含む。
【００１９】
なお、個々の（任意の）記録装置がテレビジョン放送の受信機能を有する場合、図示しない受信部で受信し、図示しないチューナ部で選局された番組（コンテンツ／タイトル／情報）は、エンコーダ＊１７でエンコードされ、記録再生処理部＊１３を経由して記録部＊２１に記録される。また、例えば外部入力として入力されるアナログ情報（コンテンツ／番組／タイトル）についても同様である。
【００２０】
一方、情報（コンテンツ／番組／タイトル）の再生が指示された場合、記録再生処理部＊１３により記録部＊２１から読み出された情報は、デコーダ＊１９でデコードされ、映像出力（Videoまたは静止画）及び音声出力（Audio，音声／音楽）として、図示しない出力部に出力される。なお、モニタ装置（ディスプレイ）及びスピーカが用意されている場合、出力された映像及び音声（音声／音楽）が再生される。
【００２１】
図２Ａは、図１が示す２以上の記録装置を含む接続（相互記録システム）を用いた情報の複製（ダビング）における情報の受け渡し（タイムスケジュール）の一例を示す。ここで、図２Ａが示す各記録装置は、記録装置Ａが受信（記録）側（情報を受けとる装置）、記録装置Ｂ及びＣが送信（供給）側（情報を送りだす装置）であり、記録装置Ｂ及びＣが保持する同一の情報（コンテンツＡのデータ（分割時は、Ａ１，Ａ２，・・・，Ａｎ−１，Ａｎ，ｎは整数））を、記録装置Ａが（自装置の）記録領域Ａ２１に、記憶すなわち複製（ダビング）する例である。なお、複製（ダビング）対象の情報の時間長（データ量，Ａ１＋Ａ２＋，・・・，＋（Ａｎ−１）＋Ａｎ）を、１つの処理として実行できない期間（開始時間−終了時間）内に、自装置に登録された予約録画（１，２，３）を含むものとする。すなわち、記録側記録装置Ａに予約録画１が用意され、供給側記録装置Ｂに（記録装置Ａに登録されている）予約録画１と一部が重なりあう予約録画２が用意され、供給側記録装置Ｃに、コンテンツデータの時間長と一部が重なりあう予約録画３が用意されているものとする。
【００２２】
図２Ａが示す例は、記録装置Ｂが保持する情報（コンテンツＡのデータ（Ａ１））を、記録装置Ｂに登録された予約録画２が開始されるまでの間、記録装置Ａに供給する。すなわち、時刻ｔ０で、記録装置Ａを記録側記録装置とするダビング（複製）が開始され、記録装置Ｂの予約録画が開始される時刻ｔ１までの間、記録装置Ａが記録装置Ｂから情報を受信する。言い換えると、記録装置Ａは、記録装置Ｂから、コンテンツＡの全体のデータのうちの開始時間位置Ｐ１から時間位置（分割点）Ｐ２までのデータ（Ａ１）を受信する。
【００２３】
記録装置Ｂの予約録画が開始される時刻ｔ１に達すると、（記録装置Ｂからの情報の供給が停止され、）記録装置Ｃが保持する情報（コンテンツＡのデータ（Ａ２の前半のＡ２ａ））が、記録装置Ａに登録された予約録画１が開始される時刻ｔ２までの間、記録装置Ａに供給される。つまり、記録装置Ａは、時刻ｔ１からｔ２までの間、記録装置ＣからコンテンツＡの全体のデータのうちの時間位置Ｐ２からＰ３までのデータ（Ａ２ａ）を受信する。なお、記録装置Ｃが保持する情報（コンテンツＡのデータ（Ａ２））の時間長は、記録装置Ｃに登録されている予約録画３が開始されるまでの長さ（データ量）すなわち時刻ｔ４までである。従って、時刻ｔ２で複製（ダビング）が中断されたコンテンツＡのデータについては、レジューム機能（後述）により、時刻ｔ２で複製（ダビング）が中断された箇所から、処理が継続される。
【００２４】
時刻ｔ２に達すると記録装置Ａに登録されている予約録画１が開始される。従って、記録装置Ａに登録されている予約録画１が終了する時刻ｔ３までの間は、情報（コンテンツＡのデータ）の複製（ダビング）は、一時的に中断される。以下、時刻ｔ４まで記録装置Ｃが保持する（時刻ｔ２で分割した情報に引き続く）情報すなわちデータＡ２ｂが記録装置Ａに供給され、記録装置Ａは、コンテンツＡの時間位置Ｐ３´（すなわち分割点Ｐ３と同一時間位置）からＰ４までのデータ（Ａ２ｂ）を受信する。
【００２５】
続いて、（既に自装置における予約録画２が終了している）記録装置Ｂから時刻ｔ５まで、記録装置Ａに、情報（Ａｎ）が供給され、記録装置Ａは、コンテンツＡの全体のデータのうちの時間位置Ｐ４から終了時間位置Ｐ５までのデータ（Ａ３）を受信する。
【００２６】
以上のスケジュールに従い、記録装置Ａ（記録側）は、コンテンツＡの全てのデータすなわち複製対象情報（Ａ１，Ａ２，・・・，Ａｎ−１，Ａｎ）の複製（ダビング）が完了する。
【００２７】
なお、図２Ｂに示すように、記録装置Ｃが保持する情報（コンテンツＡのデータ）を、記録装置Ｃに登録された予約録画３が開始される時刻ｔ４までの間（記録装置Ａの予約録画１の実行の間を除く）、記録装置Ａに供給し、時刻ｔ４から時刻ｔ５までの間、記録装置Ｂから記録装置Ａに情報を供給することもできる。
【００２８】
また、図２Ｃに示すように、記録装置Ｃが保持する情報（コンテンツＡのデータ）を、記録装置Ｂに登録された予約録画２が終了する時刻ｔ３４までの間（記録装置Ａの予約録画１の実行の間を除く）、記録装置Ａに供給し、時刻ｔ３４から時刻ｔ５までの間、記録装置Ｂから記録装置Ａに情報を供給することもできる。
【００２９】
なお、予約録画の開始時刻１〜２分に、「録画スタンバイ」状態として、先行する録画（記録）が停止する装置もあるため、分割点（レジューム機能によりダビング（複製）を中断する位置（時刻）を、「録画スタンバイ」として規定される時間だけ、早める（先行する）ことが好ましい。この場合、レジューム機能で分割する分割前のコンテンツの終端が不所望に途切れる（欠ける）ことが生じる恐れを抑制できる。
【００３０】
また、分割点（レジューム機能によりダビング（複製）を中断する位置（時刻）を、上述の「録画スタンバイ」に先行するとともに、所定時間（期間）内に含まれる「ＣＭ（コマーシャル）」区間にシフトすることも可能である。この場合、レジューム機能で分割した分割前のコンテンツの終端と、分割後のコンテンツの先端とが僅かにずれるようなことがあったとしても、ユーザに不快感を持たせる要因となることを低減できる。
【００３１】
なお、図２Ａ、図２Ｂ、図２Ｃに示した時刻ｔ２におけるコンテンツＡの分割と引き続くコンテンツＡの結合における時刻（及びコンテンツの内容）の比較、すなわちレジューム機能により時刻ｔ２で複製（ダビング）が中断された箇所を再び記録装置Ａに供給する際に、両者が同一コンテンツであり、しかも分割前と分割後の内容が一連の内容であることのチェックについては、後述する。
【００３２】
図３及び図４、図５及び図６に、図２Ａにより説明した複製（ダビング）のための動作を示す。
【００３３】
図３に、ユーザが操作する記録装置が供給（送信）側記録装置である場合の例を示す。
【００３４】
ＧＵＩ（Graphical User Interface）画面等から、供給（送信）側記録装置（図１における記録装置Ｂ）により、ユーザが１つ以上のダビング（複製）対象のコンテンツを選択する［０１］。
【００３５】
ユーザが対象のコンテンツを選択することで、ネットワーク／相互記録システム内に、ダビング対象と同じコンテンツ（ファイル）を保持（保存）している他の記録装置が何個あるか（図１が示す例において、自装置すなわちユーザがコンテンツの選択に用いる装置が記録装置Ｂである場合、記録（受信）側記録装置Ａを除いた供給（送信）側記録装置がＢ（自装置）のみであるか、Ｃを含む２つであるか）が検索される［０２］。
【００３６】
続いて、［０２］において検出された全ての記録装置（自装置を除く、図１の例ではＣ（第２の記録装置））が、コンテンツＡを記録（受信）側記録装置Ａに対して送信処理（供給）を実施可能な時間情報を取得する＜自装置を除く装置の台数分ループする＞［０３（ループ１）］。
【００３７】
次に、記録（受信）側記録装置（Ａ）から（装置Ａが）コンテンツＡの受信処理が実施可能な時間情報を取得する［０４］。
【００３８】
次に、自装置（図１の例ではＢ）において、コンテンツＡを送信処理を実施可能な時間情報を生成する［０５］。
【００３９】
続いて、取得した記録（受信）側記録装置に対して送信処理できる時間情報（自装置及び他装置）と記録（受信）側記録装置（Ａ）で受信処理が可能な時間情報とに基づいて、図２Ａ、図２Ｂ、図２Ｃに示したような「タイムスケジュール」を生成する［０６］。
【００４０】
次に、［０２］において検出された全ての装置（自装置を除く）に対し、上述の「タイムスケジュール」を通知する［０７（ループ２）］。
【００４１】
続いて、記録（受信）側記録装置に、上述した「タイムスケジュール」を通知する［０８］。
【００４２】
以上により、ダビング（記録）実行に関連するネットワーク／相互記録システム内の全ての記録装置に、共通のタイムスケジュールが設定される。
【００４３】
図４Ａ〜図４Ｆ、図５及び図６に、図３により説明した供給（送信）側記録装置の映像出力を表示するディスプレイ（モニタ装置／記録装置がテレビジョン受信装置である場合には、表示部）のＧＵＩ表示例を示す。なお、記録装置がレコーダ装置やＨＤＤ装置である場合においては、映像出力のために接続されるモニタ装置（ディスプレイ）が表示可能な出力映像信号となる。
【００４４】
ユーザが、リモコン装置（リモートコントロール端末）を操作し、例えば「メニュー画面」４０１を表示させる（図４Ａ）。
【００４５】
「メニュー画面」４０１は、リモコン装置からの選択及び決定指示を受け付ける複数のメニューを表示する。なお、記録装置が地上デジタル放送に対応している場合、「メニュー画面」４０１は、リモコン装置の「青」ボタン４１１、「赤」ボタン４１２、「緑」ボタン４１３、「黄」ボタン４１４の４つに対応する指示を受け付け可能であり、いずれかのボタンに対応する指示として、上述の複製（ダビング）のための「タイムスケジュール」を得るための専用処理名を与えることもできる（図５参照、『スケジュールダビング』という専用処理名で、以降説明する）。
【００４６】
『スケジュールダビング』が選択され、（例えば「決定」ボタンがオンされることで）『スケジュールダビング』が起動すると、図４Ｂに示すように、自装置（図１における記録装置Ｂ）が保持している録画済コンテンツ（番組）が『録画済リスト』表示４１５として一覧表示（リスト）される。
【００４７】
例えば、表示欄４２１で特定される番組の『スケジュールダビング』が指示される（図３［０１］対応）と、図４Ｃに示すように、自装置の他に接続されている供給（送信）側記録装置（図１における記録装置Ｃ）がネットワーク／相互記録システム内に位置していることが表示される。なお、表示された装置については、「録画済番組リスト」を表示させるための制御入力を受け付ける『録画済リストを表示』表示が一体的に表示されることが好ましい（図３［０２］対応）。
【００４８】
以下、自装置の他にネットワーク／相互記録システム内に位置しているとして表示された記録装置（図１における記録装置Ｃ）について、自装置から『スケジュールダビング』として選択した番組、すなわち図４Ｂにおいて表示欄４２１で特定される番組を、『スケジュールダビング』に際して、記録（受信）側記録装置（図１における記録装置Ａ）に送信（供給）可能な日時が求められ、求められた（『スケジュールダビング』実行可能な）日時が表示される（図４Ｄ参照、図３［０３］対応）。なお、表示４０１には、次の画面（表示）への移行（次画面の表示）を促す「確認（次画面）」表示のための指示を入力可能な『確認』表示４３１が表示されることが好ましい。また、リモコン装置の４つのボタンのいずれかに『確認』のための制御コマンドを割り当て、その色のボタンをオンすることを促すこともできる。
【００４９】
次に、ダビング（複製）対象の番組（コンテンツ）すなわち図４Ｂにおいて表示欄４２１で特定される番組を、記録（受信）側記録装置（図１における記録装置Ａ）が受信（記録）可能な日時が求められ、求められた（『スケジュールダビング』実行可能な）日時が表示される（図４Ｅ参照、図３［０４］対応）。なお、表示４０１には、次の画面（表示）への移行（次画面の表示）を促す「確認（次画面）」表示のための指示を入力可能な『確認』表示４３１が表示されることが好ましい。また、リモコン装置の４つのボタンのいずれかに『確認』のための制御コマンドを割り当て、その色のボタンをオンすることを促すこともできる。
【００５０】
続いて、自装置（図１における記録装置Ｂ）について、記録（受信）側記録装置（図１における記録装置Ａ）に送信（供給）可能な日時が求められ、求められた（『スケジュールダビング』実行可能な）日時が表示される（図４Ｆ参照、図３［０５］対応）。なお、表示４０１には、次の画面（表示）への移行（次画面の表示）を促す「確認（次画面）」表示のための指示を入力可能な『確認』表示４３１が表示されることが好ましい。また、リモコン装置の４つのボタンのいずれかに『確認』のための制御コマンドを割り当て、その色のボタンをオンすることを促すこともできる。
【００５１】
以下、『スケジュールダビング』として選択した番組について、記録（受信）側記録装置Ａに対して、自装置（供給（送信）側記録装置Ｂ）及び自装置の他にネットワーク／相互記録システム内に位置している供給（送信）側記録装置Ｃから番組（コンテンツＡ）を送信する日時（時間帯）を示す「タイムスケジュール」が生成され、生成された（『スケジュールダビング』実行可能な）日時が画面（表示）５０１として表示される（図５参照、図３［０６］対応）。なお、表示５０１には、次の画面（表示）への移行（次画面の表示）を促す「確認（次画面）」表示のための指示を入力可能な『確認』表示５３１が表示されることが好ましい。また、リモコン装置の４つのボタンのいずれかに『確認』のための制御コマンドを割り当て、その色のボタンをオンすることを促すこともできる。
【００５２】
続いて、表示した「タイムスケジュール」に従う『スケジュールダビング』を実行するか（否か）を確認する確認画面（表示）６０１が表示され、実行（開始）を指示する『確認』または『実行』もしくは『はい』表示６０３（図６参照）が選択されることで、ネットワーク／相互記録システム内に位置している供給（送信）側記録装置Ｃ、及び記録（受信）側記録装置Ａに、上述の「タイムスケジュール」が供給（送信）される（図３［０７］／［０８］対応）。なお、上述の表示６０３から実行が指示された場合、表示部の表示としては、通常の「メニュー画面」表示あるいは、『「戻る」ボタンで再生中の番組（コンテンツ）の再生（表示）に戻ります』が表示される。
【００５３】
以下、生成された「タイムスケジュール」に従う『スケジュールダビング』が、設定された時刻から開始される。
【００５４】
なお、図４Ｂに示した画面表示において複製（ダビング）対象の番組（コンテンツ）を選択した以降、例えば図５に示す「タイムスケジュール」の表示までは、任意の１以上の表示が省略されてもよいし、異なる表示例が追加されてもよい。また、図４Ｂに示した画面表示において複製（ダビング）対象の番組（コンテンツ）を選択した以降、例えば図５に示す「タイムスケジュール」の表示まではバックグラウンドにおいて実行し、生成された「タイムスケジュール」を表示して、ユーザに、その実行の有無（実行するか否か）を確認するよう、例えば設定（メニュー）画面にて設定（変更）できることが好ましい。
【００５５】
上述のように、図３により求めた「タイムスケジュール」を、図１に示したシステムに適用することで、ユーザが、ダビング（複製）対象であるコンテンツＡを記録（受信）側記録装置Ａの記録領域＊２１にダビングする際、    
ａ）供給（送信）側記録装置Ｂの操作により、ダビング（複製）対象であるコンテンツＡを、記録装置Ｂ（自装置）以外に、ネットワーク／相互記録システム内に保存している他の装置があるかどうかを検索し、    
ｂ）同一のコンテンツＡを保持した記録装置が（自装置）の他に存在することが検索できた場合には、記録側記録装置ＡがコンテンツＡの記録動作が可能な時間を求め、    
ｃ）記録装置ＡがコンテンツＡを記録可能な時間に、自装置（図１の記録装置Ｂ）及び他の記録装置（図１の記録装置Ｃ）のいずれかからコンテンツＡを供給することで、複製（ダビング）に必要となる時間を最小にすることができる。
【００５６】
なお、記録装置Ａに対するコンテンツＡの送信（転送）は、記録装置Ａが自装置に設定された予約録画を実行する間を除いて可能となるため、コンテンツＡをダビング（複製）するために必要となる時間は、必要最小となる。
【００５７】
図７に、ユーザが操作する記録装置が記録（受信）側記録装置である場合の例を示す。
【００５８】
ＧＵＩ（Graphical User Interface）画面等から、記録（受信）側記録装置（図１における記録装置Ａ）により、ユーザが１つ以上のダビング（複製）対象のコンテンツを選択する［１１］。
【００５９】
ユーザが対象のコンテンツを選択することで、ネットワーク／相互記録システム内に、ダビング対象と同じコンテンツ（ファイル）を保持（保存）している記録装置が何個あるか（図１が示す例において、自装置すなわち記録（受信）側記録装置Ａを除いた供給（送信）側記録装置Ｂ及び記録装置Ｃ）が検索される［１２］。
【００６０】
続いて、［１２］において検出された全ての記録装置から、コンテンツ送信処理を実施可能な時間情報を取得する［１３］。
【００６１】
次に、自装置すなわち記録（受信）側記録装置（Ａ）において、コンテンツ受信処理を実施可能な時間情報を生成する［１４］。
【００６２】
以下、求められた供給（送信）側のすべての記録装置及び自装置がダビング（複製）のためにコンテンツの送受信が可能な時間情報を基に、ダビング（複製）を実行するための「タイムスケジュール」を生成する［１５］。
【００６３】
次に、［１２］において検出された全ての記録装置に、［１５］により生成した「タイムスケジュール」を通知する［１６］。
【００６４】
以上により、ダビング（記録）実行に関連するネットワーク／相互記録システム内の全ての記録装置に、共通のタイムスケジュールが設定される。
【００６５】
図８Ａ〜図８Ｆ、図９及び図１０に、図７により説明した記録（受信）側記録装置の映像出力を表示するディスプレイ（モニタ装置／記録装置がテレビジョン受信装置である場合には、表示部）のＧＵＩ表示例を示す。なお、記録装置がレコーダ装置やＨＤＤ装置である場合においては、映像出力のために接続されるモニタ装置（ディスプレイ）が表示可能な出力映像信号となる。
【００６６】
ユーザが、リモコン装置（リモートコントロール端末）を操作し、例えば「メニュー画面」８０１を表示させる（図８Ａ）。
【００６７】
「メニュー画面」８０１は、リモコン装置からの選択及び決定指示を受け付ける複数のメニューを表示する。なお、記録装置が地上デジタル放送に対応している場合、「メニュー画面」８０１は、リモコン装置の「青」ボタン８１１、「赤」ボタン８１２、「緑」ボタン８１３、「黄」ボタン８１４の４つに対応する指示を受け付け可能であり、いずれかのボタンに対応する指示として、上述の複製（ダビング）のための「タイムスケジュール」を得るための専用処理名を与えることもできる（図９参照、『スケジュールダビング』という専用処理名で、以降説明する）。
【００６８】
『スケジュールダビング』が選択され、（例えば「決定」ボタンがオンされることで）『スケジュールダビング』が起動すると、図８Ｂに示すように、自装置（図１における記録装置Ａ）が保持している録画済コンテンツ（番組）が『録画済リスト』表示８１５として一覧表示（リスト）される。
【００６９】
例えば、表示欄８２１で特定される番組の『スケジュールダビング』が指示される（図７［１１］対応）と、図８Ｃに示すように、自装置の他に接続されている供給（送信）側記録装置（図１における記録装置Ｂ及び記録装置Ｃ）がネットワーク／相互記録システム内に位置していることが表示される（図７［１２］対応）。なお、表示された装置については、「録画済番組リスト」を表示させるための制御入力を受け付ける『録画済リストを表示』表示が一体的に表示されることが好ましい。
【００７０】
以下、自装置の他にネットワーク／相互記録システム内に位置しているとして表示された記録装置（記録装置Ｂ及び記録装置Ｃ）について、自装置から『スケジュールダビング』として選択した番組、すなわち図８Ｂにおいて表示欄８２１で特定される番組を、『スケジュールダビング』に際して、自装置（記録（受信）側記録装置Ａ）に送信（供給）可能な日時が求められ、求められた（『スケジュールダビング』実行可能な）日時が表示される（図８Ｄ（記録装置Ｂ）、図８Ｅ（記録装置Ｃ）参照、図７［１３］対応）。なお、表示８０１には、次の画面（表示）への移行（次画面の表示）を促す「確認（次画面）」表示のための指示を入力可能な『確認』表示８３１が表示されることが好ましい。また、リモコン装置の４つのボタンのいずれかに『確認』のための制御コマンドを割り当て、その色のボタンをオンすることを促すこともできる。
【００７１】
次に、ダビング（複製）対象の番組（コンテンツ）すなわち図８Ｂにおいて表示欄８２１で特定される番組を、自装置（記録装置Ａ）が受信（記録）可能な日時が求められ、求められた（『スケジュールダビング』実行可能な）日時が表示される（図８Ｆ参照、図７［１４］対応）。なお、表示８０１には、次の画面（表示）への移行（次画面の表示）を促す「確認（次画面）」表示のための指示を入力可能な『確認』表示８３１が表示されることが好ましい。また、リモコン装置の４つのボタンのいずれかに『確認』のための制御コマンドを割り当て、その色のボタンをオンすることを促すこともできる。
【００７２】
続いて、求められた自装置（記録装置Ａ）が受信（記録）可能な日時と供給（送信）側記録装置Ｂ及びＣからの（それぞれが）送信（供給）可能な日時とに基づいて、（『スケジュールダビング』実行可能な）日時である「タイムスケジュール」が生成され、生成された「タイムスケジュール」に従う『スケジュールダビング』が実行可能な「タイムスケジュール」が個々の記録装置に通知され、その日時が画面（表示）９０１として表示される（図９参照、図７［１５］，［１６］対応）。なお、表示９０１には、次の画面（表示）への移行（次画面の表示）を促す「確認（次画面）」表示のための指示を入力可能な『確認』表示９３１が表示されることが好ましい。また、リモコン装置の４つのボタンのいずれかに『確認』のための制御コマンドを割り当て、その色のボタンをオンすることを促すこともできる。
【００７３】
続いて、表示した「タイムスケジュール」に従う『スケジュールダビング』を実行するか（否か）を確認する確認画面（表示）１００１が表示され、実行（開始）を指示する『確認』または『実行』もしくは『はい』表示１００３（図１０参照）が選択されることで、ネットワーク／相互記録システム内に位置している供給（送信）側記録装置Ｂ及び記録装置Ｃから、上述の「タイムスケジュール」に従う『スケジュールダビング』が、設定された時刻から開始される。なお、上述の表示１００３から実行が指示された場合、表示部の表示としては、通常の「メニュー画面」表示あるいは、『「戻る」ボタンで再生中の番組（コンテンツ）の再生（表示）に戻ります』が表示される。
【００７４】
なお、図８Ｂに示した画面表示において、複製（ダビング）対象の番組（コンテンツ）を選択した以降、例えば図９に示す「タイムスケジュール」の表示まではバックグラウンドにおいて実行し、ユーザには、生成された「タイムスケジュール」を表示して、その実行の有無（実行するか否か）を確認するよう、例えば設定（メニュー）画面にて設定（変更）できることが好ましい。
【００７５】
上述のように、図７により求めた「タイムスケジュール」を、図１に示したシステムに適用することで、ユーザが、ダビング（複製）対象であるコンテンツＡを記録（受信）側記録装置Ａの記録領域＊２１にダビングする際、    
Ａ）記録（受信）側記録装置Ａの操作により、ダビング（複製）対象であるコンテンツＡを保持した記録装置がネットワーク／相互記録システム内に位置しているかどうかを検索し、    
Ｂ）同一のコンテンツＡを保持した記録装置が（自装置）の他に存在することが検索できた場合には、その装置が、コンテンツＡを送信（供給）可能な時間を求め、    
Ｃ）自装置がコンテンツＡを記録（受信）可能な時間に、ネットワーク／相互記録システム内に位置している他の記録装置のいずれかからコンテンツＡを供給（送信）することで、複製（ダビング）に必要となる時間を最小にすることができる。
【００７６】
なお、記録装置Ａ（自装置）に、ネットワーク／相互記録システム内に位置している他の記録装置のいずれかからコンテンツＡを送信（転送）することにより、記録装置Ａ（自装置）に設定された予約録画を実行する間を除いてダビング（複製）が可能となるため、コンテンツＡをダビング（複製）するために必要となる時間は、必要最小となる。
【００７７】
図１１に、図２Ａに示した複製（ダビング）において、複製（ダビング）が中断されたコンテンツＡのデータに対するレジューム機能（分割時の複製（ダビング）が中断された箇所を再び記録側装置に供給する際に、両者が同一コンテンツであり、しかも分割前と分割後の内容が一連の内容であることのチェック）を実行する例を示す。なお、図１１は、図３により説明したコンテンツ送信側からのダビング（複製）指示に対応する。また、以下の説明において、記録装置は、図１に示した記録（受信）側記録装置と供給（送信）側記録装置（２つ）であるものとする。
【００７８】
図３に示した手順により、上述の『スケジュールダビング』が指示された場合、自装置（コンテンツ送信側）すなわち記録装置Ｂは、ダビング用のタイムスケジュールにおけるコンテンツ送信開始時刻かどうかを判定する［２１］。
【００７９】
送信開始時刻であれば［２１−ＹＥＳ］、コンテンツを受信（記録）する記録装置（記録装置Ａ）から、コンテンツ送信の開始位置を示すレジュームポイント（図２Ａ、ｔ０〜ｔ４のいずれか）を取得する［２２］。
【００８０】
コンテンツ送信側となる記録装置（自装置すなわち記録装置Ｂ）は、コンテンツを受信する記録装置（記録装置Ｂ）から取得したレジュームポイント（図２Ａ、ｔ０〜ｔ５のいずれか）に従い、コンテンツ送信を開始する［２３］。
【００８１】
送信開始時刻ではない場合［２１−ＮＯ］、ダビング用のタイムスケジュールにおけるコンテンツ送信停止時刻かどうかを判定し［２４］、送信停止時刻であれば［２４−ＹＥＳ］、コンテンツの送信を停止する［２５］。なお、コンテンツの送信が停止された場合［２５］には、ダビング完了時刻かどうかを判定する［２６］。
【００８２】
ダビング完了時刻（図２Ａ、ｔ５）であれば［２６−ＹＥＳ］、コンテンツのダビングが完了であるから対象コンテンツに対するコピー制御処理を実施する［２７］。
【００８３】
送信停止時刻ではない場合［２４−ＮＯ］、タイムスケジュールにおいて、コンテンツ送信を継続する時間であるため、コンテンツ送信処理を継続する［２８］。
【００８４】
なお、コピー制御処理については、後段に詳しく説明する。
【００８５】
図１２に、図２Ａに示した複製（ダビング）において、複製（ダビング）が中断されたコンテンツＡのデータに対するレジューム機能を実行する例を示す。なお、図１２は、図７により説明したコンテンツ受信（記録）側からのダビング（複製）指示に対応する。また、以下の説明において、記録装置は、図１に示した記録（受信）側記録装置と供給（送信）側記録装置（２つ）であるものとする。
【００８６】
図７に示した手順により、上述の『スケジュールダビング』が指示された場合、自装置（記録（受信）側記録装置Ａ）は、ダビング用のタイムスケジュールにおける受信開始時刻かどうかを判定する［３１］。
【００８７】
受信開始時刻であれば［３１−ＹＥＳ］、コンテンツを送信する記録装置Ｂ（もしくはＣ）へ、コンテンツ送信の位置を示すレジュームポイントを通知する［３２］。
【００８８】
次に、通知されたレジュームポイントに従い、コンテンツ受信を開始する［３３］。
【００８９】
受信開始時刻ではない場合［３１−ＮＯ］、レジュームポイントを保持し、ダビング用のタイムスケジュールにおけるコンテンツ受信停止時刻かどうかを判定する［３４］。
【００９０】
受信停止時刻であれば［３４−ＹＥＳ］、コンテンツの受信を停止する［３５］。なお、コンテンツの受信を停止（中断）した場合［３５］には、ダビング完了時刻かどうかを判定する［３６］。
【００９１】
ダビング完了時刻である場合［３６−ＹＥＳ］、全コンテンツデータの受信が完了したかを判定する。全コンテンツデータの受信が完了していれば、受信処理を終了し、対象コンテンツに対するコピー制御処理を実施する［３７］。
【００９２】
受信停止時刻ではない場合［３４−ＮＯ］、ダビング用のタイムスケジュールにおいてコンテンツ受信を継続する時間であるため、コンテンツ受信処理を継続する［３８］。
【００９３】
図１３に、一時的に中断したダビング（複製）に対するレジュームポイントからの引き続くダビングの継続のため、レジュームポイントの前後のコンテンツが、同一コンテンツであり、しかも分割前と分割後の内容が重複や欠落等の無い一連の内容であること、について説明する。なお、レジュームポイントにおけるコンテンツの比較は、図３及び図７に示した同一コンテンツを保持する記録装置の検出においても実質的に同様である。すなわち、ダビング（複製）が中断された箇所に引き続くコンテンツを、記録（受信）側記録装置に再び供給する際に、両者が同一コンテンツであり、しかも分割前と分割後の内容が一連の内容であることは、記録（受信）するコンテンツ内に、重複箇所を生じないために有益である（必須ではないが、記録（受信）側記録装置（図１の記録装置Ａ）において、ダビング（複製）したコンテンツを再生する際に、視聴するユーザに、重複等に起因する不快感を与える、等が低減される）。
【００９４】
上述した「タイムスケジュール」に従い、ダビング（複製）処理を実行している間に、ダビング中断時刻に到達すると、その時点のコンテンツについて、レジュームポイントを作成し、保持する。なお、レジュームポイントは、少なくとも「記録日時」、「分割時の時間情報」、「タイトル（コンテンツ名）」等を含む。また、コンテンツが、例えばテレビジョン放送信号として供給されたものである場合、「ＥＰＧ（Electric Program Guide，電子番組表）情報」を用いることで、精度の高い比較が可能となる［４１］。
【００９５】
「タイムスケジュール」に従い、引き続く記録（ダビング）の開始に先立ち、次にコンテンツを供給（送信）する記録装置から、レジュームポイントを取得する［４２］。
【００９６】
次に、取得したレジュームポイントを伴うコンテンツの供給（送信）元の記録装置が、直前にコンテンツを供給していた記録装置であることを確認する［４３］。
【００９７】
中断前にコンテンツを供給した記録装置と中断後に（続き）のコンテンツを供給する装置が同一である場合［４３−ＹＥＳ］、コンテンツのダビングを継続する。なお、コンテンツ供給元すなわち中断前にコンテンツを供給した記録装置と中断後に（続き）のコンテンツを供給する装置が同一であることは、ネットワーク相互記録システム内において、相互にまたは主としてサーバとしての機能を受け持つ装置において、例えばＭＡＣ（Media Access Control）アドレスの参照等により、容易に確認できる。また、コンテンツが、例えばデジタルカメラ（スティル（静止画））あるいはデジタルビデオカメラである場合には、個々のコンテンツに付加される「ＤＣＦ（またはＥｘｉｆ）に基づいて規定されたフォルダー構造」／「（ＤＣＦに）付属する「メーカー名」／「機種（モデル）名」」を参照することで、容易に確認できる［４４］。
【００９８】
中断前にコンテンツを供給した記録装置と中断後に（続き）のコンテンツを供給する装置が同一ではない場合［４３−ＮＯ］、保持するコンテンツのレジュームポイントが参照され、中断前のコンテンツと引き続いて供給されるコンテンツが同一であることが、確認される。なお、中断前のコンテンツと引き続いて供給されるコンテンツが同一であることは、例えばそれぞれのコンテンツに付属する属性データや、上述のＥＰＧ情報、あるいはＥＰＧ情報を含むＳＩ（Service Information）、ＳＩが含むＥＳ（Elementary Stream）のＰＭＴ（Program Map Table）の一つとして用意される時間情報、あるいはＥＳをパケット化したＰＥＳパケットが所定個数連結されたパック（ｐａｃｋ）に設けられるヘッダ（pack_header）が含む再生時刻の情報、等により、コンテンツ毎に（最初のコンテンツ供給元、例えば放送局や配信事業者が）提供する、日時、ｃｈ（チャンネル）、放送局（配信事業者）名、等のコンテンツに固有の情報を参照することで、容易に確認できる。また、対象のコンテンツ（特に引き続いて供給されるコンテンツ）に、予め同一のレジュームポイントが用意されていない場合、（次にコンテンツを供給（送信）する記録装置が保持する）コンテンツ中に、上述のダビングが中断されたコンテンツが含む上述のさまざまな情報と一致する情報が含まれることを検出することで、実質的に同一のコンテンツであることを判断できる［４５］。
【００９９】
中断前のコンテンツと引き続いて供給されるコンテンツが同一であることを確認できた場合［４５−ＹＥＳ］、コンテンツ相互において、時間的なずれが無いことが検知される［４６］。
【０１００】
コンテンツ相互において、時間的なずれが無い場合［４６−ＹＥＳ］、コンテンツのダビングを継続する［４４］。
【０１０１】
コンテンツ相互において、時間的なずれがある場合［４６−ＮＯ］、そのずれの要因に従い、調整可能なずれであることを検出して［４７−ＹＥＳ］、引き続いて供給されるコンテンツを送信する（中断されたコンテンツに続いて供給する）時刻（時間情報）を設定（調整）し［４８］、コンテンツのダビングを継続する。なお、引き続いて供給されるコンテンツを送信する（中断されたコンテンツに続いて供給する）時刻（時間情報）は、例えば「コンテンツの先頭からの経過時間」または「最初にコンテンツが供給された際に付属する時刻等を参照することで、容易に取得できる［４４］。
【０１０２】
なお、コンテンツ相互において、時間的なずれがある場合［４６−ＮＯ］であって、そのずれの調整が困難である、すなわち上述の時間情報が一致しない、あるいは一致する範囲が大きく異なる場合等においては、ダビングを中止し、例えば『同一コンテンツを検出できません』等のアラート（メッセージ）を表示する（表示出力を出力する）ことがこのましい。また、中断前のコンテンツと引き続いて供給されるコンテンツが同一であることを確認できない場合［４５−ＮＯ］においても同様である。
【０１０３】
図１４は、コンテンツ相互において、時間的なずれがないにもかかわらず、総時間（時間長）が一致しないようなコンテンツについて、その一致を判定する例を示す。
【０１０４】
コンテンツ供給元が保持するコンテンツが、それぞれのコンテンツに付属する属性データや、ＥＰＧ（Electric Program Guide，電子番組表）情報、あるいはＥＰＧ情報を含むＳＩ（Service Information）が一致するが、総時間が異なるコンテンツＡ´（図１４（ｂ））とコンテンツＡ（図１４（ａ））である場合において、その一致しない部分が、例えばＣＭ（コマーシャル）部分に相当する、と予測できる場合、コンテンツ（番組）の本編に含まれる「ＣＭ（コマーシャル）」区間については、既に実用化されている「映像の構造化」方法（図１５）と、「任意区間検出」方法（図１６）により、個々の区間が設定されている、と考えることができる。
【０１０５】
例えば、図１５に示す「映像の構造化」処理パートにより、ｃ１、ｃ２、…、ｃ５としてあらわすことのできるチャプタ分割点を検出し、図１６に示す「任意区間検出」処理パートにより、同じ番組（コンテンツ）の時間方向に対して区切り情報ｍ１、ｍ２、ｍ３、ｍ４（無音区間）を検出し、例えば音声モードが変化せず連続している区間、あるいはステレオモードが連続している区間であるｍ１とｍ２との間ならびにｍ３とｍ４との間を「任意区間」に設定することで、特定された任意区間を、ＣＭ区間として検出できる。
【０１０６】
従って、図１４（ａ）が示すコンテンツＡが含む編集位置ｘ１が、コンテンツＡ´におけるｍ１とｍ２との連続部、同じく編集位置ｘ２が、コンテンツＡ´におけるｍ３とｍ４との連続部であるような場合には、両者が同一コンテンツである、と判断できる。
【０１０７】
また、図１４（ｃ）が示すように、コンテンツａが、接続部ｙ１，ｙ２，ｙ３，ｙ４を含む場合、時間情報すなわちｙ１が含むｍ１とｙ２が含むｍ２あるいはｙ３が含むｍ３とｙ４が含むｍ４から、ｙ１とｙ２との間、及びｙ３とｙ４との間が、コンテンツの編集のための任意の重複区間（いわゆる「のり代」）であること、を特定できる。
【０１０８】
図１７及び図１８に、「コピー制御処理（コピーコントロール）」の設定（確認）画面表示の一例を示す。
【０１０９】
放送局（放送事業者）や配信事業者が供給するデジタルコンテンツ（番組／情報／タイトル）は、ダビング（複製）時の劣化が少ないため、実質的なコピー禁止（ムーブ（移動）のみ許可）である「コピーワンス」とコピー回数に上限、例えば９回のコピーを許可し１０回目はムーブとなる（いわゆる）「ダビング１０」が運用されている。なお、地上デジタル放送と衛星放送のうち、ＢＳ（Broadcasting Satellite，放送衛星による）系である場合（サンプリング周波数が４８ｋＨｚ未満）には「ダビング１０」が、衛星放送のうち、ＣＳ（Communication Satellite，通信衛星を用いて中継される）系である場合（サンプリング周波数４８ｋＨｚ）には、「コピーワンス」が適用されている。
【０１１０】
このため、図６あるいは図１０により説明した『スケジュールダビング』の開始を受け付ける前、あるいは受け付けた直後に、ＧＵＩまたはＯＳＤ（On Screen Display）を用いて、上述のコピーコントロールに対するユーザの確認（承認）が必要となる。
【０１１１】
例えば、「コピーワンス」が適用されるコンテンツについては、図１７に一例を示すように、『記録装置Ａ＜実際には、例えばＭＡＣアドレスから取得できる『機種名』あるいはＨＤＭＩ等で接続されているネットワーク／相互記録システム内の『接続名』等を表示することが好ましい＞に、最後にコンテンツを送信した記録装置Ｂ＜同『機種名』あるいは『機種名』＞からコンテンツがムーブされます』というようなアラート（メッセージ）１７０１とその確認（承認）を促す『確認』または『実行』もしくは『はい』表示１７０３が表示される。
【０１１２】
一方、「ダビング１０」が適用されるコンテンツについては、図１８に一例を示すように、『記録装置Ａ＜同『機種名』あるいは『機種名』＞に、コンテンツを送信した記録装置Ｂ＜同『機種名』あるいは『機種名』＞または記録装置Ｃ＜同『機種名』あるいは『機種名』＞のいずれかに、コピー制限の設定が必要です。どの装置のコピー制限を実行しますか』というようなアラート（メッセージ）１８０１とその確認（承認）を促す『確認』または『実行』もしくは『はい』表示１８０３と、コピー制限を実行する装置を選択あるいは入力できる、例えば「チェックボックス」タイプの設定部１８６１等の入力要求表示が表示される。なお、図１８において、コピー制限を実行する装置名が入力されない場合には、所定時間、例えば１５秒経過後に、図１９に一例を示すように、『「ダビング１０」が適用されるコンテンツのダビングができません。「終了する」か「戻る」ボタンで戻った画面で設定（入力）してください』等のアラート（メッセージ）１９０１を表示し、さらに所定時間、例えば１５秒経過後に、終了することが好ましい。
【０１１３】
なお、図１７〜図１９に示すアラート（メッセージ）を、オンスクリーンディスプレイ（ＯＳＤ）を用いて表示する場合、αブレンディングのパラメーターを好適な値に設定することで、例えば図２０に示すように、記録機器相互の接続を示す案内画面の全体を「半透明」状態として、通常の映像信号の一部を透過可能に、あるいはグレーダウン表示等により濃度変化を与えて表示し、アラート（メッセージ）２００１と「ダビング１０」によりコピー制限カウントが「−１」となる対象の記録装置を強調して表示することも可能である。また、その確認（承認）を促す『確認』または『実行』もしくは『はい』表示２００３が表示される。
【０１１４】
また、図１９に示したアラート（メッセージ）表示に、例えば『記録装置Ａ＜実際には、例えばＭＡＣアドレスから取得できる『機種名』あるいはＨＤＭＩ等で接続されているネットワーク／相互記録システム内の『接続名』等を表示することが好ましい＞に、最後にコンテンツを送信した記録装置Ｂ＜同『機種名』あるいは『機種名』＞のコピー制限がカウント「−１」されます』等を表示し、自動的にダビング（複製）を開始してもよい。
【０１１５】
なお、図１８及び図１９により説明した［コピー制御処理］については、設定画面を用意し、例えば『コンテンツの最終区間を送信した記録装置のコピー制限を「−１」する』／『コピー制限カウントを「−１」する記録装置を毎回設定する』等を、ユーザが選択できるようにすることも可能である。あるいは、記録側記録装置Ａは、コピー制限カウントを「−１」する記録装置を選択する操作をユーザから受け付けたのち、当該記録装置を、コンテンツの最終区間を送信する記録装置として設定してもよい。即ち記録側記録装置Ａは、コピー制限カウントを減算する装置を設定した後、当該装置からコンテンツの最終区間を受信するようにスケジュールダビングを設定し、コンテンツ最終区間を受信した後に当該装置からコピー鍵を取得してもよい。
【０１１６】
また、表示例については、その表示に用いる表示方法を任意に組み合わせることも可能である。
【０１１７】
このように、ダビング予約を設定する際、コンテンツの送信を行う記録装置、受信を行う記録装置のそれぞれにおいて、ダビング処理を実行可能な時間を検出した結果を基に、コンテンツの分割を含む「タイムスケジュール」を生成し、その「タイムスケジュール」に基づいてダビングを行うことにより、ダビング時間を短縮し、効率的にダビングを実施することができる。
【０１１８】
また、レジュームポイントの採用により、記録（ダビング）のためにダビング対象のコンテンツを任意の位置で分割し、分割前のコンテンツと分割後のコンテンツとが同一、かつ連続するコンテンツであることを確認した後、連続するコンテンツとして記録することができ、予約録画等の開始された場合において、先行して開始されたダビング（記録）が破棄される（やり直しが必要になる）ことがないため、ユーザの負担が低減される。
【０１１９】
なお、上述の一連の説明において、ダビング（複製）対象のコンテンツを２以上の記録装置が保持することは、例えば単一のコンテンツを２以上の記録装置で別々に記録する、任意の記録装置が保持するコンテンツを他の記録装置へ、コピーコントールの範囲内でダビングする、あるいは繰り返し放送（再放送）等によりコンテンツが複数回供給される場合に、２回以上記録する、等のさまざまなケースにおいて実現できる。    
また、上述した実施の形態は、以下の構成によっても実現できる。 
例えば、ネットワークに対して複製対象を供給し、あるいはネットワークから複製対象を取得する入出力部と、複製対象を保持する保持部と、前記入出力部を経由して取得する複製対象を前記保持部に入力し、前記保持部が保持する複製対象を前記入出力部が出力可能に出力する信号処理部と、前記信号処理部及び前記入出力部の複製対象の入出力時に、同一の複製対象が異なる装置において分割されている場合において、複製対象の分割点の終端と複製対象の分割点の先端とがそれぞれが、同一の複製対象を分割して得られる連続性を伴うことを検出する入出力制御部と、を具備する記録装置である。 
例えば、上述の記録装置において、前記入出力制御部は、前記記録装置が受信側である時、複製対象を受信できない時間を報知し、前記記録装置が送信側に位置である時、複製対象を送信できない時間を報知し、複製対象の時間情報と報知された前記複製対象を受信できない時間と報知された前記複製対象を送信できない時間とに基づいて複製対象を分割する。 
例えば、上述の記録装置の前記入出力制御部は、前記記録装置が送信側である時、複製対象を受信する側である記録装置に対して前記複製対象を送信できない要因に応じて、複製対象を分割する。 
また、例えば、上述の記録装置の前記入出力制御部は、前記記録装置が受信側である時、前記複製対象を受信できない時間を送信側である記録装置に報知して複製対象の分割を要求する。 
また、例えば、上述の記録装置の前記入出力制御部は、前記記録装置が受信側である時、分割して受信した複製対象のそれぞれが保持する、複製対象の分割点の終端と複製対象の分割点の先端とがそれぞれが、同一の複製対象を分割して得られる連続性を伴うことを示す情報に従い、複製対象を所定順に保持する。
【０１２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２１】
１…ＬＡＮ（ネットワーク）、＊１１…インタフェース部、＊１３…記録再生処理部、＊１５…主制御部、＊１７…エンコーダ、＊１９…デコーダ、＊２１…記録領域、＊（Ａ，Ｂ，Ｃ）…記録装置。
【図１】
0005198626.tif 000002
【図２Ａ】
0005198626.tif 000003
【図２Ｂ】
0005198626.tif 000004
【図２Ｃ】
0005198626.tif 000005
【図３】
0005198626.tif 000006
【図４Ａ】
0005198626.tif 000007
【図４Ｂ】
0005198626.tif 000008
【図４Ｃ】
0005198626.tif 000009
【図４Ｄ】
0005198626.tif 000010
【図４Ｅ】
0005198626.tif 000011
【図４Ｆ】
0005198626.tif 000012
【図５】
0005198626.tif 000013
【図６】
0005198626.tif 000014
【図７】
0005198626.tif 000015
【図８Ａ】
0005198626.tif 000016
【図８Ｂ】
0005198626.tif 000017
【図８Ｃ】
0005198626.tif 000018
【図８Ｄ】
0005198626.tif 000019
【図８Ｅ】
0005198626.tif 000020
【図８Ｆ】
0005198626.tif 000021
【図９】
0005198626.tif 000022
【図１０】
0005198626.tif 000023
【図１１】
0005198626.tif 000024
【図１２】
0005198626.tif 000025
【図１３】
0005198626.tif 000026
【図１４】
0005198626.tif 000027
【図１５】
0005198626.tif 000028
【図１６】
0005198626.tif 000029
【図１７】
0005198626.tif 000030
【図１８】
0005198626.tif 000031
【図１９】
0005198626.tif 000032
【図２０】
0005198626.tif 000033